(57)【要約】【課題】釣糸の繰出しおよび巻取りを行う度にリール本体を回転させることなく、スピニングリールの機能を発揮することができる片軸受リールを提供する。【解決手段】釣竿と交差する軸回りに釣糸を巻き取る片軸受リール１であって、両端部に第１および第２側板４が連結されたリール本体２と、第１側板のリール本体２と反対側に設けられたハンドル５と、第１および第２側板４から離間した状態でリール本体２内部に収容されるとともにスプール軸により支持されたスプール７と、ハンドル５の回転力をスプール軸に伝達してスプール７を回転させる駆動機構とを備え、リール本体２の外周面の少なくとも一部には、釣糸の巻取り時に釣糸を通過させる開口部１８が、第２側板４側の端部から所定の位置まで形成されており、第２側板４には、釣糸の繰出し時に釣糸を通過させるガイド部２２が、開口部１８と連通するように形成されている。【選択図】図１
0003159583.tif 000002
【実用新案登録請求の範囲】
【請求項１】
釣竿に取り付けられ、前記釣竿と交差する軸回りに釣糸を巻き取る片軸受リールであって、
前記軸方向に互いに対向して配置された第１および第２側板と、
両端部に前記第１および第２側板が連結され、下部に前記釣竿に取り付けるための取付け部が設けられたリール本体と、
前記第１側板の前記リール本体と反対側に設けられたハンドルと、
前記第１および第２側板から離間した状態で前記リール本体内部に収容されるとともにスプール軸により支持されたスプールと、
前記第１側板と前記スプールとの間に設けられ、前記ハンドルの回転力を前記スプール軸に伝達して前記スプールを回転させる駆動機構とを備え、
前記リール本体の外周面の少なくとも一部には、前記釣糸の巻取り時に前記釣糸を通過させる開口部が、前記第２側板側の端部から所定の位置まで形成されており、
前記第２側板には、前記釣糸の繰出し時に前記釣糸を通過させるガイド部が、前記開口部と連通するように形成されていることを特徴とする片軸受リール。
【請求項２】
前記ガイド部は、前記第２側板の端部から前記第２側板の中心部に向かって形成されているとともに、前記釣糸の繰出し時における前記釣糸の当該ガイド部内での上下方向の移動を制限するために、先端が鉤状に形成されていることを特徴とする請求項１に記載の片軸受リール。
【請求項３】
前記開口部は、前記リール本体の上部において前記第２側板側の端部から前記スプールの上方に対応する部分まで形成されているとともに、前記第２側板側の端部の幅が前記スプールの上方に対応する部分の幅より狭くなるように形成されていることを特徴とする請求項１または２に記載の片軸受リール。
【請求項４】
前記駆動機構と前記スプールとの間には、前記スプール軸が挿通される貫通穴を有する仕切板が前記リール本体と一体成型されて設けられており、
前記第１側板の前記リール本体側には、一端が前記第１側板を挿通して前記ハンドルに連結され、他端が前記駆動機構に連結されたハンドル回動筒が設けられており、
前記仕切板と前記スプール軸との間および前記第１側板と前記ハンドル回動筒との間にはベアリングが設けられており、
前記仕切板と前記第１側板との間の空間は密閉空間となっていることを特徴とする請求項１ないし３のいずれかに記載の片軸受リール。
【請求項５】
前記駆動機構は、内歯を有する内歯歯車と、外歯を有する太陽歯車と、前記内歯歯車および前記太陽歯車の双方と噛合する複数の遊星歯車とを含む歯車増速機構であって、
前記内歯歯車は、前記ハンドル回動筒の前記他端に設けられており、
前記太陽歯車は、前記スプール軸上に設けられており、
前記複数の遊星歯車は、前記仕切板の前記第１側板側に形成された複数の支持軸によりそれぞれ回転自在に支持されていることを特徴とする請求項４に記載の片軸受リール。
【考案の詳細な説明】
【技術分野】
【０００１】
本考案は、釣竿に取り付けられ、釣竿と交差する軸回りに釣糸を巻き取る片軸受リールに関する。
【背景技術】
【０００２】
従来から、釣りに使用するリールとして、スピニングリールと片軸受リールとが広く知られている。
【０００３】
スピニングリールは、釣竿と平行な軸回りに釣糸を巻き取るリールで、釣糸の繰出し時には、スプールを回転させることなく、釣糸をスプールから繰り出すことができる。このため、スピニングリールは、釣糸の繰出し時の抵抗が小さく遠投に適している。しかしながら、スピニングリールでは、釣糸の繰出し・巻取り方向がスプールの回転軸と平行になるため、釣糸の巻取り時には、糸よれが起こりやすくなる。
【０００４】
一方、片軸受リールは、釣竿と交差する軸回りに釣糸を巻き取るリールで、釣糸の繰出し・巻取り方向がスプールの回転軸と直角になるため、釣糸の巻取り時には、糸よれが起こりにくく、釣糸を巻き取る力もスピニングリールより大きくなる。しかしながら、片軸受リールは、釣糸の繰出し時には、スプールの回転に伴って釣糸が繰り出されるため、スプールの回転速度が釣糸の繰出し速度を越えてしまい、スプールに巻かれている釣糸が緩んで絡まってしまうバックラッシュが起こりやすくなる。
【０００５】
近年では、スピニングリールの機能を持った片軸受リールが開発されている（例えば、特許文献１参照）。特許文献１に記載の片軸受リールでは、リール本体と、釣竿に取り付けるための取付け部とがパッキングを挟んでネジで締め付けられており、力を加えることでリール本体が回転するようになっている。このため、特許文献１に記載の片軸受リールでは、リール本体を９０度回転させてから釣糸を繰り出すことで、釣糸の繰出し方向がスプールの回転軸と平行になり、スプールを回転させることなく、釣糸をスプールから繰り出すことができ、バックラッシュが起こるのを防ぐことができる。
【先行技術文献】
【特許文献】
【０００６】
【特許文献１】特開２０００−３２４９８６号公報
【考案の概要】
【考案が解決しようとする課題】
【０００７】
しかしながら、上記特許文献１に記載の片軸受リールは、釣糸の繰出しおよび巻取りを行う度にリール本体を回転させる必要があるため、長期間使用していると、回転による摩擦によってパッキングやネジが摩耗し、釣糸の繰出し時および巻取り時以外の時にもリール本体が不用意に回転してしまうという問題があった。
【０００８】
上記の問題に鑑みて、本考案は、釣糸の繰出しおよび巻取りを行う度にリール本体を回転させることなく、スピニングリールの機能を発揮することができる片軸受リールを提供することを課題とする。
【課題を解決するための手段】
【０００９】
上記の課題を解決するために、本考案は、釣竿に取り付けられ、釣竿と交差する軸回りに釣糸を巻き取る片軸受リールであって、軸方向に互いに対向して配置された第１および第２側板と、両端部に第１および第２側板が連結され、下部に釣竿に取り付けるための取付け部が設けられたリール本体と、第１側板のリール本体と反対側に設けられたハンドルと、第１および第２側板から離間した状態でリール本体内部に収容されるとともにスプール軸により支持されたスプールと、第１側板とスプールとの間に設けられ、ハンドルの回転力をスプール軸に伝達してスプールを回転させる駆動機構とを備え、リール本体の外周面の少なくとも一部には、釣糸の巻取り時に釣糸を通過させる開口部が、第２側板側の端部から所定の位置まで形成されており、第２側板には、釣糸の繰出し時に釣糸を通過させるガイド部が、開口部と連通するように形成されていることを特徴とする。
【００１０】
この構成によれば、釣糸の巻取り時には、リール本体の外周面の少なくとも一部に形成された開口部から釣糸を巻き取ることができるため、釣糸の巻取り方向がスプールの回転軸と直角になる。これにより、本考案に係る片軸受リールは、釣糸を巻き取る力がスピニングリールより大きくなるという片軸受リール本来の機能を発揮することができ、糸よれが起こるのを防ぐことができる。
【００１１】
さらに、この構成によれば、釣糸の繰出し時には、第２側板に形成されたガイド部から釣糸を繰り出すことができるため、釣糸の繰出し方向がスプールの回転軸と平行になる。これにより、本考案に係る片軸受リールは、スプールを回転させることなく、釣糸をスプールから繰り出すことができるというスピニングリールとしての機能も発揮することができ、バックラッシュが起こるのを防ぐことができる。
【００１２】
また、上記構成において、ガイド部は、第２側板の端部から第２側板の中心部に向かって形成されているとともに、釣糸の繰出し時における釣糸の当該ガイド部内での上下方向の移動を制限するために、先端が鉤状に形成されていることが好ましい。
【００１３】
この構成によれば、釣糸のガイド部内での上下方向の移動を制限することができるため、釣糸の繰出し時において、釣糸がガイド部から開口部に誤って移動してしまうのを防ぐことができる。
【００１４】
また、上記構成において、開口部は、リール本体の上部において第２側板側の端部からスプールの上方に対応する部分まで形成されているとともに、第２側板側の端部の幅がスプールの上方に対応する部分の幅より狭くなるように形成されていることが好ましい。
【００１５】
この構成によれば、第２側板側の端部の幅がスプールの上方に対応する部分の幅より狭くなるように開口部が形成されているため、釣糸の巻取り時において、釣糸が開口部からガイド部に誤って移動してしまうのを防ぐことができる。
【００１６】
また、上記片軸受リールでは、駆動機構とスプールとの間に、スプール軸が挿通される貫通穴を有する仕切板がリール本体と一体成型されて設けられており、第１側板のリール本体側に、一端が第１側板を挿通してハンドルに連結され、他端が駆動機構に連結されたハンドル回動筒が設けられており、仕切板とスプール軸との間および第１側板とハンドル回動筒との間にはベアリングが設けられており、仕切板と第１側板との間の空間は密閉空間となっていることが好ましい。
【００１７】
この構成によれば、仕切板と第１側板との間の空間が密閉空間となっているため、この空間内に設けられた駆動機構に塵埃や水分が付着するのを防ぐことができる。
【００１８】
また、上記構成において、駆動機構は、内歯を有する内歯歯車と、外歯を有する太陽歯車と、内歯歯車および陽歯車の双方と噛合する複数の遊星歯車とを含む歯車増速機構であって、内歯歯車は、ハンドル回動筒の他端に設けられており、太陽歯車は、スプール軸上に設けられており、複数の遊星歯車は、仕切板の第１側板側に形成された複数の支持軸によりそれぞれ回転自在に支持されていることが好ましい。
【００１９】
この構成によれば、駆動機構は、歯車増速機構であるため、ハンドルの回転を増速してスプール軸に伝達することができ、例えば、ハンドルを１回転させる間にスプールを４回転させることができる。
【考案の効果】
【００２０】
本考案によれば、釣糸の繰出しおよび巻取りを行う度にリール本体を回転させることなく、スピニングリールの機能を発揮することができる片軸受リールを提供することができる。
【図面の簡単な説明】
【００２１】
【図１】本考案に係る片軸受リールを示す斜視図である。
【図２】本考案に係る片軸受リールを示す分解平面図である。
【図３】本考案におけるリール本体であって、（Ａ）は平面図、（Ｂ）は（Ａ）のＢ側から見た側面図、（Ｃ）は（Ｂ）を線Ｃで切断するとともにスプールとの関係を示す断面図である。
【図４】本考案における第１側板であって、（Ａ）は側面図、（Ｂ）は（Ａ）の線ＢＢ’で切断した断面図である。
【図５】本考案における第２側板を示す側面図である。
【図６】本考案におけるスプールおよびスプール軸を示す平面図である。
【図７】本考案における駆動機構を示す側面図である。
【図８】本考案における第１側板およびハンドル回動筒であって、（Ａ）は側面図、（Ｂ）は（Ａ）の線ＢＢ’で切断した断面図である。
【考案を実施するための形態】
【００２２】
以下、本考案の好ましい実施形態について図面を参照して説明する。
【００２３】
図１および図２に示すように、本考案に係る片軸受リール１は、釣竿に取り付けられ、釣竿と交差する軸（スプール７の回転軸）回りに釣糸を巻き取るもので、リール本体２と、第１側板３と、第２側板４と、ハンドル５と、ハンドル回動筒６と、スプール７と、スプール軸８と、第１ベアリング９と、第２ベアリング１０と、駆動機構１１（不図示）とから構成されている。
【００２４】
リール本体２は、合成樹脂によって形成された円筒状の枠体である。このリール本体２は、釣竿と交差する軸方向の両端部において、第１側板３と第２側板４とが連結されている。リール本体２の下部には、釣竿に取り付けるための取付け部１２が設けられている。
【００２５】
リール本体２の上部には、図１に示すように、釣糸の巻取り時に釣糸を通過させるための開口部１８が形成されている。この開口部１８は、リール本体２の上部において第２側板４側の端部から少なくともスプール７の上方に対応する部分まで形成されている。さらに、開口部１８は、図２に示すように、第２側板４側の端部の幅がスプー７ルの上方に対応する部分の幅より狭くなるような平面視凸状に形成されている。
【００２６】
リール本体２の内部は、図３（Ａ）に示すように、スプール７および駆動機構１１を収容するために中空となっている。より具体的には、リール本体２の内部には、仕切板１３がリール本体２と一体成型されて設けられており、仕切板１３を挟んで第１側板３側（図３（Ａ）における紙面右側）には駆動機構１１が収容され、第２側板４側（図３（Ａ）における紙面左側）には第２側板４から離間した状態でスプール７が収容される。
【００２７】
仕切板１３には、図３（Ｂ）および図３（Ｃ）に示すように、スプール軸８を挿通させる貫通穴１４が形成されている。また、仕切板１３の第１側板３側には、駆動機構１１の一部である遊星歯車１１ｃを支持するための支持軸１５が、当該仕切板１３と一体成型されて設けられている。仕切板１３の第２側板４側には、図３（Ｃ）に示すように、貫通穴１４を囲むように円環状の凸部１６が設けられている。この凸部１６の内周面には、段差部ａが形成されており、段差部ａより先端側（第２側板４側）にＯリング１７が埋設されている。
【００２８】
第１側板３および第２側板４は、リール本体２と同種の合成樹脂によって形成された円盤状の側板である。第１側板３および第２側板４は、釣竿と交差する軸方向に互いに対向して配置されるとともに、リール本体２の両端部と連結されている。
【００２９】
図４に示すように、第１側板３には、リール本体２が連結される側と反対側に円環状の凹部１９が形成されている。この凹部１９の内周面には、Ｏリング２０が埋設されている。凹部１９の底面には、中心部分に貫通穴２１が形成されている。
【００３０】
また、第１側板３のリール本体２が連結される側には、ハンドル回動筒６が設けられており（図８（Ｂ）参照）、第１側板３のリール本体が連結される側と反対側には、ハンドル５が設けられている。ハンドル回動筒６は、一端が貫通穴２１を挿通して、ハンドル５に連結されている。ハンドル回動筒６の他端には、駆動機構１１を構成する内歯歯車１１ａが設けられている。このハンドル回動筒６は、ハンドル５および内歯歯車１１ａと一体的に回転する。
【００３１】
図５に示すように、第２側板４には、釣糸の繰出し時にスプール７から繰り出された釣糸を通過させるガイド部２２が、リール本体２に形成された開口部１８と連通するように形成されている。ガイド部２２は、第２側板４の上端部から第２側板４の中心部近傍まで形成された矩形状の第１領域２２ａと、鉤状の第２領域２２ｂとからなる切欠きである。スプール７から繰り出された釣糸は、第２領域２２ｂの先端部（第２側板４の中心部）を通り、第２側板４に沿って釣竿と略平行に進行する。
【００３２】
第２領域２２ｂは、第１領域２２ａの先端隅部から釣糸の進行方向と反対方向（釣糸の巻取り方向）に延びる領域と、当該領域の先端部から屈曲して釣糸の進行方向に延びる領域とからなる。また、ガイド部２２は、第２領域２２ｂの幅（ｗ２およびｗ３）が第１領域２２ａの幅（ｗ１）より狭くなるように形成されている。このため、ガイド部２２内での釣糸の上下方向の移動を制限することができ、釣糸の繰出し時に、釣糸がガイド部２２の第２領域２２ｂから第１領域２２ａもしくは開口部１８に誤って移動してしまうのを防ぐことができる。ここで、鉤状とは、図５に示す形状の他、Ｌ字状、Ｕ字状、およびコ字状等の様々な形状を含むものとする。なお、釣糸の巻取り時には、前もって釣糸を第２領域２２ｂの先端部から第１領域２２ａを通して開口部１８に移動させておく必要がある。
【００３３】
スプール７は、図６に示すように、合成樹脂によって形成された円筒状の糸巻き部７ａと、当該糸巻き部７ａの両側に一体成型された円盤状のフランジ部７ｂ、７ｃとからなる。同図に示すように、スプール７の回転軸上には、スプール軸８が、スプール７と一体的に回転するように一体成型されて設けられている。
【００３４】
なお、スプール７は、糸巻き部７ａの内周面がスプール軸８の凸部１６の外周面に接するように、フランジ部７ｂを仕切板１３に近接させ、フランジ部７ｃを仕切板１３の凸部１６の先端に近接させた状態で、リール本体２の内部に回転自在に収容されている（図３（Ｃ）参照）。
【００３５】
スプール軸８は、フランジ部７ｃに設けられた後端部８ａから第１側板３側の先端部に向かって径が小さくなる円柱状に形成されている。スプール軸８の後端部８ａの外周面には、第２ベアリング１０の内輪に接するＯリング２３が埋設されている。また、スプール軸８の先端部近傍には、駆動機構１１を構成する太陽歯車１１ｂが、当該スプール軸８と一体成型されて設けられている。
【００３６】
駆動機構１１は、ハンドル５の回転力をスプール軸８に伝達して、スプール軸８およびスプール７を回転させるものであり、第１側板３と仕切板１３との間に設けられている。この駆動機構１１は、図７に示すように、内歯を有する内歯歯車１１ａと、外歯を有する太陽歯車１１ｂと、内歯歯車１１ａおよび太陽歯車１１ｂの双方と噛合する複数（本実施形態では３つ）の遊星歯車１１ｃとを含む歯車増速機構である。
【００３７】
内歯歯車１１ａは、ハンドル回動筒６の他端に当該ハンドル回動筒６と一体成型されて設けられている。太陽歯車１１ｂは、スプール軸８の先端部近傍に設けられている。３つの遊星歯車１１ｃは、仕切板１３の第１側板３側に設けられ、３つの支持軸１５によりそれぞれ回転自在に支持されている。なお、本実施形態における駆動機構１１では、ハンドル５が１回転する間に、スプール７は４回転するように、それぞれの歯車（１１ａ、１１ｂ、１１ｃ）が設計されている。
【００３８】
また、図８に示すように、ハンドル回動筒６と第１側板３との間には、第１ベアリング９が設けられている。第１ベアリング９は、金属製の内輪９ａと、金属製の外輪９ｂと、当該内輪９ａと外輪９ｂとの間の両側面に設けられた円環状の樹脂製シール材９ｃと、当該シール材９ｃの間に設けられた複数の転動体９ｄとからなる。この第１ベアリング９は、内輪９ａがハンドル回動筒６に接しており、外輪９ｂが第１側板３の凹部１９内周面およびＯリング２０に接しており、樹脂製シール材９ｃがそれぞれハンドル５の第１側板３側の面および第１側板３の凹部１９底面に接している。また、樹脂製シール材９ｃの外周面は、外輪９ｂに固着されているため、ハンドル５を回転させるとハンドル回転筒６とともに内輪９ａのみが回転する。
【００３９】
さらに、スプール軸８と仕切板１３との間には、第２ベアリング１０が設けられている。第２ベアリング１０は、第１ベアリング９と同様に、金属製の内輪と、金属製の外輪と、当該内輪と外輪との間の両側面に設けられた円環状の樹脂製シール材と、当該シール材の間に設けられた複数の転動体とからなる。この第２ベアリング１０は、内輪がスプール軸８の後端部８ａ外周面およびＯリング２３に接しており、外輪が仕切板１３の凸部１６内周面およびＯリング１７に接しており、樹脂製シール材がそれぞれスプール７のフランジ部７ｃおよび仕切板１３の凸部１６内の段差部ａに接している。
【００４０】
上記のように、ハンドル回動筒６と第１側板３との間に第１ベアリング９が設けられ、スプール軸８と仕切板１３との間に第２ベアリング１０が設けられているため、仕切板１３と第１側板３との間の空間は密閉空間となり、この空間内に設けられた駆動機構１１を構成するそれぞれの歯車（１１ａ、１１ｂ、１１ｃ）に塵埃や水分が付着するのを防ぐことができる。
【００４１】
また、本考案に係る片軸受リール１では、リール本体２に開口部１８が形成されているとともに第２側板４にガイド部２２が形成されているため、本考案に係る片軸受リール１は、釣糸の繰出しおよび巻取りを行う度にリール本体２を回転させることなく、片軸受リールとしての機能と、スピニングリールとしての機能とを発揮することができる。
【００４２】
具体的には、本考案に係る片軸受リール１では、釣糸の巻取り時に、開口部１８から釣糸を巻き取ることで、釣糸の巻取り方向がスプール７の回転軸と直角になる。これにより、釣糸を巻き取る力がスピニングリールより大きくなり、糸よれが起こりにくくなるという片軸受リール本来の機能を発揮することができる。
【００４３】
一方、釣糸の繰出し時には、ガイド部２２から釣糸が繰り出されるため、釣糸の繰出し方向がスプール７の回転軸と平行になる。これにより、スプール７を回転させることなく釣糸をスプール７から繰り出すことができ、バックラッシュが起こるのを防ぐことができるというスピニングリールとしての機能も発揮することができる。
【００４４】
以上、本考案に係る片軸受リール１の好ましい実施形態について説明してきたが、本考案はこれらの構成に限定されるものではない。
【００４５】
例えば、上記実施形態では、開口部１８をリール本体２の上部に形成したが、必ずしもリール本体２の上部に形成する必要はなく、リール本体２の外周面の少なくとも一部に形成されていればよい。
【００４６】
また、上記実施形態では、駆動機構１１として歯車増速機構を使用し、内歯歯車１１ａをハンドル回動筒６の他端に設け、太陽歯車１１ｂをスプール軸８上に設け、３つの遊星歯車１１ｃを仕切板１３の第１側板３側に設けているが、それぞれの歯車（１１ａ、１１ｂ、１１ｃ）の設け方や、歯車増速機構の増速比は任意に変更できる。
【００４７】
その他、本明細書に添付の実用新案登録請求の範囲内での種々の設計変更および修正を加え得ることは勿論可能である。
【符号の説明】
【００４８】
１      片軸受リール
２      リール本体
３      第１側板
４      第２側板
５      ハンドル
６      ハンドル回動筒
７      スプール
８      スプール軸
９      第１ベアリング
１０    第２ベアリング
１１    駆動機構
１２    取付け部
１３    仕切板
１４    貫通穴
１５    支持軸
１６    凸部
１７    Ｏリング
１８    開口部
１９    凹部
２０    Ｏリング
２１    貫通穴
２２    ガイド部
２３    Ｏリング
【図１】
0003159583.tif 000003
【図２】
0003159583.tif 000004
【図３】
0003159583.tif 000005
【図４】
0003159583.tif 000006
【図５】
0003159583.tif 000007
【図６】
0003159583.tif 000008
【図７】
0003159583.tif 000009
【図８】
0003159583.tif 000010